(57)【要約】【課題】被乾燥物の乾き残しの発生を抑制できる浴室内乾燥装置を提供する。【解決手段】浴室内乾燥装置であって、吹出手段１２は、吹出口８から浴室１内への空気の吹出方向を変更可能に構成され、被乾燥物Ｘの温度を、浴室１内で被乾燥物Ｘを掛けるための掛け具３０の設置位置よりも吹出口８と同じ側から測定可能な第１温度測定手段Ｔ１と、被乾燥物Ｘの温度を、浴室１内で被乾燥物Ｘを掛けるための掛け具３０の設置位置よりも吹出口８とは反対側から測定可能な第２温度測定手段Ｔ２とを備え、制御手段は、乾燥運転を行っているとき、第１温度測定手段Ｔ１及び第２温度測定手段Ｔ２の測定結果に基づいて被乾燥物Ｘの乾燥状態が相対的に悪い未乾燥領域を特定する未乾燥領域特定処理と、未乾燥領域特定処理によって特定した未乾燥領域に向けて吹出口８から相対的に多くの加熱空気を吹き出す特定乾燥処理とを行う。【選択図】図１
2018166893.tif 000002
【特許請求の範囲】
【請求項１】
吸込口から浴室内の空気を吸い込む吸込手段と、前記吸込手段が吸い込んだ空気を吹出口から前記浴室内に吹き出す吹出手段と、前記吸込手段が吸い込んだ空気を屋外に排気する排気手段と、前記吸込手段が吸い込んだ空気を加熱する加熱手段と、前記各手段の動作を制御する制御手段とを備え、前記吸込口から前記浴室内の空気を吸い込み、吸い込んだ空気の一部を屋外に排気すると共に残りの空気を加熱した上で前記吹出口から加熱空気を前記浴室内に吹き出すように前記制御手段が前記吸込手段及び前記吹出手段及び前記排気手段及び前記加熱手段を動作させることで、前記浴室内に存在している被乾燥物に対する乾燥運転を行う浴室内乾燥装置であって、
前記吹出手段は、前記吹出口から前記浴室内への空気の吹出方向を変更可能に構成され、
前記被乾燥物の温度を、前記吹出口から見て、前記浴室内で前記被乾燥物を掛けるために設置された掛け具の設置位置よりも近い側から測定可能な第１温度測定手段と、
前記被乾燥物の温度を、前記吹出口から見て、前記掛け具の設置位置よりも遠い側から測定可能な第２温度測定手段とを備え、
前記制御手段は、前記乾燥運転を行っているとき、
前記第１温度測定手段及び前記第２温度測定手段の測定結果に基づいて前記被乾燥物の乾燥状態が他の領域よりも相対的に悪い未乾燥領域を特定する未乾燥領域特定処理と、
前記未乾燥領域特定処理によって特定した前記未乾燥領域に向けて前記吹出口から前記他の領域よりも相対的に多くの加熱空気を吹き出す特定乾燥処理とを行う浴室内乾燥装置。
【請求項２】
前記第１温度測定手段と前記第２温度測定手段とは、前記被乾燥物が前記掛け具に掛けられたときに存在する領域をそれらの間に挟む位置に設置されている請求項１に記載の浴室内乾燥装置。
【請求項３】
前記制御手段は、前記未乾燥領域特定処理において、前記第１温度測定手段及び前記第２温度測定手段で測定した温度のうち、周囲よりも低温の部分を前記未乾燥領域と特定する請求項１又は２に記載の浴室内乾燥装置。
【請求項４】
前記制御手段は、前記未乾燥領域特定処理において、前記第１温度測定手段及び前記第２温度測定手段で測定した温度のうち、前記浴室の壁面よりも低温の部分を前記未乾燥領域と特定する請求項１又は２に記載の浴室内乾燥装置。
【請求項５】
前記制御手段は、前記未乾燥領域特定処理において、前記吹出口から前記浴室内への前記加熱空気の吹き出しを停止した状態で前記第１温度測定手段及び前記第２温度測定手段による温度の測定を行う請求項１〜４の何れか一項に記載の浴室内乾燥装置。
【請求項６】
前記第１温度測定手段が前記掛け具よりも前記浴室の天井側に設けられ、前記第２温度測定手段が前記掛け具よりも前記浴室の床側に設けられている請求項１〜５の何れか一項に記載の浴室内乾燥装置。
【請求項７】
前記第２温度測定手段が前記浴室内の壁面に設置された、給湯温度を設定するための入力を利用者から受け付ける浴室内リモコンに搭載されている請求項６に記載の浴室内乾燥装置。
【発明の詳細な説明】
【技術分野】
【０００１】
本発明は、浴室内に存在している被乾燥物に対する乾燥運転を行う浴室内乾燥装置に関する。
【背景技術】
【０００２】
特許文献１に記載の浴室内乾燥装置は、温度測定手段が測定した被乾燥物としての衣類の表面温度に応じて乾燥運転を行うように構成されている。具体的には、温度測定手段は衣類の複数点の表面温度を測定し、それら複数点の表面温度から衣類の濡れた部位がある方向を判断して、その衣類の濡れた部位がある方向に加熱空気を吹き出すように構成されている。温度測定手段の設置位置に関しては、浴室内の天井に設ける例と、浴室内の壁面に設置された浴室リモコンに設ける例が記載されている。
【先行技術文献】
【特許文献】
【０００３】
【特許文献１】特開２００９−０７８０５９号公報
【発明の概要】
【発明が解決しようとする課題】
【０００４】
特許文献１に記載の浴室内乾燥装置では、被乾燥物の温度を測定するための温度測定手段が一つしか設けられていない。そのため、温度測定手段から被乾燥物を見た場合、死角になる部分が生じる。つまり、特許文献１に記載の浴室内乾燥装置では、温度測定手段を用いて、被乾燥物の未乾燥領域を確実に特定することができないため、結果として、乾き残しが発生する可能性がある。
【０００５】
本発明は、上記の課題に鑑みてなされたものであり、その目的は、被乾燥物の乾き残しの発生を抑制できる浴室内乾燥装置を提供する点にある。
【課題を解決するための手段】
【０００６】
上記目的を達成するための本発明に係る浴室内乾燥装置の特徴構成は、吸込口から浴室内の空気を吸い込む吸込手段と、前記吸込手段が吸い込んだ空気を吹出口から前記浴室内に吹き出す吹出手段と、前記吸込手段が吸い込んだ空気を屋外に排気する排気手段と、前記吸込手段が吸い込んだ空気を加熱する加熱手段と、前記各手段の動作を制御する制御手段とを備え、前記吸込口から前記浴室内の空気を吸い込み、吸い込んだ空気の一部を屋外に排気すると共に残りの空気を加熱した上で前記吹出口から加熱空気を前記浴室内に吹き出すように前記制御手段が前記吸込手段及び前記吹出手段及び前記排気手段及び前記加熱手段を動作させることで、前記浴室内に存在している被乾燥物に対する乾燥運転を行う浴室内乾燥装置であって、
前記吹出手段は、前記吹出口から前記浴室内への空気の吹出方向を変更可能に構成され、
前記被乾燥物の温度を、前記吹出口から見て、前記浴室内で前記被乾燥物を掛けるために設置された掛け具の設置位置よりも近い側から測定可能な第１温度測定手段と、
前記被乾燥物の温度を、前記吹出口から見て、前記掛け具の設置位置よりも遠い側から測定可能な第２温度測定手段とを備え、
前記制御手段は、前記乾燥運転を行っているとき、
前記第１温度測定手段及び前記第２温度測定手段の測定結果に基づいて前記被乾燥物の乾燥状態が他の領域よりも相対的に悪い未乾燥領域を特定する未乾燥領域特定処理と、
前記未乾燥領域特定処理によって特定した前記未乾燥領域に向けて前記吹出口から前記他の領域よりも相対的に多くの加熱空気を吹き出す特定乾燥処理とを行う点にある。
【０００７】
上記特徴構成によれば、被乾燥物の温度が、吹出口から見て掛け具の設置位置よりも近い側から測定可能な第１温度測定手段と、吹出口から見て掛け具の設置位置よりも遠い側から測定可能な第２温度測定手段という二つの温度測定手段によって測定される。つまり、第１温度測定手段と第２温度測定手段とは、被乾燥物の温度測定を互いに異なる方向から行っている。そのため、第１温度測定手段では死角になって測定できなかった領域の温度を第２温度測定手段では測定でき、第２温度測定手段では死角になって測定できなかった領域の温度を第１温度測定手段では測定できる。その結果、従来のように一つの温度測定手段のみで未乾燥領域を探していた場合に比べて、本特徴構成では未乾燥領域を確実に探し出すことができる。そして、そのように測定された結果に基づいて被乾燥物の乾燥状態が他の領域よりも相対的に悪い未乾燥領域を特定する未乾燥領域特定処理と、その未乾燥領域特定処理によって特定した未乾燥領域に向けて吹出口から他の領域よりも相対的に多くの加熱空気を吹き出す特定乾燥処理とを行うことで、被乾燥物の乾き残しの発生を抑制できる。
【０００８】
本発明に係る浴室内乾燥装置の別の特徴構成は、前記第１温度測定手段と前記第２温度測定手段とは、前記被乾燥物が前記掛け具に掛けられたときに存在する領域をそれらの間に挟む位置に設置されている点にある。
【０００９】
上記特徴構成によれば、第１温度測定手段と第２温度測定手段とは、被乾燥物の温度を互いに反対側から測定できる。その結果、未乾燥領域をより確実に探し出すことができる。
【００１０】
本発明に係る浴室内乾燥装置の更に別の特徴構成は、前記制御手段は、前記未乾燥領域特定処理において、前記第１温度測定手段及び前記第２温度測定手段で測定した温度のうち、周囲よりも低温の部分を前記未乾燥領域と特定する点にある。
【００１１】
水分が残っている未乾燥領域は周囲よりも低温になる。
そこで本特徴構成では、第１温度測定手段及び第２温度測定手段で測定した温度のうち、周囲よりも低温の部分を未乾燥領域と特定することで、未乾燥領域の特定を確実に行える。
【００１２】
本発明に係る浴室内乾燥装置の更に別の特徴構成は、前記制御手段は、前記未乾燥領域特定処理において、前記第１温度測定手段及び前記第２温度測定手段で測定した温度のうち、前記浴室の壁面よりも低温の部分を前記未乾燥領域と特定する点にある。
【００１３】
浴室内で乾燥運転を行うと、水分の無い浴室の壁面は高温になる。そのため、浴室の壁面と同等の温度の部分の乾燥は十分であり、浴室の壁面よりも低温の部分の乾燥は不十分であると言える。
そこで本特徴構成では、第１温度測定手段及び第２温度測定手段で測定した温度のうち、浴室の壁面よりも低温の部分を未乾燥領域と特定することで、未乾燥領域の特定を確実に行える。
【００１４】
本発明に係る浴室内乾燥装置の更に別の特徴構成は、前記制御手段は、前記未乾燥領域特定処理において、前記吹出口から前記浴室内への前記加熱空気の吹き出しを停止した状態で前記第１温度測定手段及び前記第２温度測定手段による温度の測定を行う点にある。
【００１５】
上記特徴構成によれば、第１温度測定手段及び第２温度測定手段によって、被乾燥物に加熱空気が当たっていないときの温度が測定される。つまり、加熱空気の影響を排除した状態で、被乾燥物自体の温度が第１温度測定手段及び第２温度測定手段よって測定される。その結果、未乾燥領域の特定を確実に行える。
【００１６】
本発明に係る浴室内乾燥装置の更に別の特徴構成は、前記第１温度測定手段が前記掛け具よりも前記浴室の天井側に設けられ、前記第２温度測定手段が前記掛け具よりも前記浴室の床側に設けられている点にある。
【００１７】
上記特徴構成によれば、第１温度測定手段と第２温度測定手段とによって、被乾燥物の温度を上方及び下方の両方から測定できる。その結果、未乾燥領域をより確実に探し出すことができる。
【００１８】
本発明に係る浴室内乾燥装置の更に別の特徴構成は、前記第２温度測定手段が前記浴室内の壁面に設置された、給湯温度を設定するための入力を利用者から受け付ける浴室内リモコンに搭載されている点にある。
【００１９】
上記特徴構成によれば、浴室内リモコンは人が操作し易い程度の低い位置に設置されているので、そのような低い位置に設けられた第２温度測定手段を用いて、被乾燥物の下側の温度を測定できる。
【図面の簡単な説明】
【００２０】
【図１】浴室内乾燥装置と被乾燥物とを示す概略図である。
【図２】浴室内乾燥装置の具体的な構成を示す図である。
【図３】第１実施形態の乾燥運転を説明するフローチャートである。
【図４】第２実施形態の乾燥運転を説明するフローチャートである。
【発明を実施するための形態】
【００２１】
＜第１実施形態＞
以下に図面を参照して本発明の第１実施形態に係る浴室内乾燥装置について説明する。
図１は浴室内乾燥装置と被乾燥物Ｘとを示す概略図であり、図２は浴室内乾燥装置の具体的な構成を示す図である。この浴室内乾燥装置は、浴室１内に存在している被乾燥物Ｘに対する乾燥運転を行うための装置である。図１及び図２に示すように、浴室内乾燥装置は、装置本体３と、浴室内乾燥装置の運転を制御する制御手段Ｃとを備える。加えて、浴室内乾燥装置は、第１温度測定手段Ｔ１と第２温度測定手段Ｔ２とを備える。そして、また、本実施形態では、浴室１内の壁面には、給湯温度等を設定するための入力を利用者から受け付ける浴室内リモコン４０が設けられている。加えて、本実施形態では、浴室１の外の脱衣室などの壁面には、浴室内乾燥装置の運転設定を利用者から受け付ける脱衣室リモコン２０が設けられている。そして、浴室内リモコン４０及び脱衣室リモコン２０で受け付けた情報は、制御手段Ｃにおいて各種の制御指令として受け付けられる。
【００２２】
装置本体３は、本体ケーシング４内に各種機器を備える。本実施形態において、装置本体３は浴室１の天井に設置してある。本体ケーシング４の下部と、浴室１の天井との境界には、浴室１内から本体ケーシング４内に吸い込まれる空気が通る吸込口６と、本体ケーシング４内から浴室１内に吹き出される空気が通る吹出口８とが設けられている。
本体ケーシング４は、例えば直方体形状の箱状に形成されている。そして、本体ケーシング４内に、吸込口６から吸い込んだ空気を吹出口８から吹き出すように通風作用する循環ファン１１、吸込口６から吸い込んだ空気を本体ケーシング４外に排出するように通風作用する排気ファン１５、循環ファン１１により通風される空気を熱源機２から熱媒循環路１０を通して循環供給される熱媒にて加熱する熱交換器９等が設けられている。
【００２３】
次に、浴室内乾燥装置の各部について説明する。
本体ケーシング４の内部には、吸込口６を通して浴室１内の空気を吸い込んで吹出口８を通して吹き出すための循環通風路７が、導風板５により区画形成されている。そして、この循環通風路７の途中に、循環ファン１１が、吸込口６から浴室１内の空気を吸い込む吸込み作用すると共に、その吸込口６から吸い込んだ空気を吹出口８に向けて吐出するように通風作用する状態で設けられている。
【００２４】
循環通風路７の途中には、熱交換器９も設けられている。この熱交換器９は、循環通風路７内における循環ファン１１よりも通風方向上流側に設けられて、熱源機２から循環供給される熱媒との熱交換により、循環通風路７内を通風する空気を加熱するよう構成されている。具体的には、熱源機２から熱媒循環路１０の往路１０ａを通して熱交換器９に対して熱媒が供給され、熱交換器９において熱媒が有する熱が循環通風路７内を通風する空気に渡された後、相対的に低温になった熱媒が熱媒循環路１０の復路１０ｂを通って熱源機２に帰還する。このように、加熱手段としての熱交換器９が作動しているとき、循環ファン１１の通風作用により、吸込口６を通して吸い込まれた浴室１内の空気は熱交換器９にて加熱され、その後、吹出口８を通して加熱空気が浴室１内に吹き出される。吸込口６を通して吸い込まれた浴室１内の空気の湿度を、湿度センサ１３を用いて測定することもできる。尚、図示は省略しているが、熱媒循環路１０の途中には、熱媒の流動を開始及び停止させる熱動弁などが設けられており、制御手段Ｃがこの熱動弁の開閉を切り換えることで、熱交換器９の作動（空気を加熱する状態）及び停止（空気を加熱しない状態）が切り換えられる。
【００２５】
吹出口８には、電動モータ（図示せず）により揺動駆動される可動ルーバー１２が設けられ、この可動ルーバー１２により、吹出口８から浴室１内への空気の吹出方向を変更可能に構成されている。
【００２６】
排気ファン１５は、下面にファン吸込口１８を有するファンケース１４の内部に設けられている。ファンケース１４内に垂直方向の軸心回りに回転自在に支持された羽根体等を備えて構成されている。尚、図示を省略するが、ファンケース１４が形成された領域と上記導風板５との間には、循環通風路７内における熱交換器９よりも通風方向上流側の部分に連通するように構成されている。そして、循環ファン１１が作動されている状態で、排気ファン１５が作動されると、循環ファン１１の通風作用により浴室１から吸い込まれた空気の一部が、熱交換器９により加熱される前に排気ファン１５の通風作用により分流され、分流された空気が排気口１６から排気導風ボックス及び排気ダクト１７を通して屋外に排出される。
また、循環ファン１１が停止されている状態で、排気ファン１５が作動されると、排気ファン１５の通風作用により浴室１内の空気が吸込口６を通して吸い込まれ、浴室１内の空気が排気ダクト１７を通して屋外に排出される。
【００２７】
以上のように、本発明の「吸込手段」は循環ファン１１を用いて実現され、「吹出手段」は循環ファン１１及び可動ルーバー１２を用いて実現され、「排気手段」は循環ファン１１及び排気ファン１５を用いて実現され、「加熱手段」は熱交換器９を用いて実現される。
【００２８】
浴室内リモコン４０は、利用者が給湯温度等の設定入力を行うために使用する。図２に示す例では、給湯の運転の入切を行うための「運転」ボタン４１、浴槽Ｂへの湯張りを行うための「お湯はり」ボタン４２、浴室１への呼び出しを行うための「呼出」ボタン４３、給湯温度を設定するための温度設定ボタン４４、浴槽Ｂへの湯張りの湯量を設定するための湯量設定ボタン４５、浴槽Ｂへの湯張りの温度を設定するための温度設定ボタン４６などが、浴室内リモコン４０に設けられている。
【００２９】
脱衣室リモコン２０は、利用者が浴室内乾燥装置の運転指令を行うために使用する。図２に示す例では、浴室１内を乾燥する、即ち、浴室１内に干されている被乾燥物Ｘの乾燥運転を行うための「乾燥」ボタン２２、浴室１内の換気運転を行うための「換気」ボタン２３、浴室１内の暖房運転を行うための「暖房」ボタン２４、吹出口８から浴室１内への空気の吹出方向を指令するための「風向」ボタン２６などが、脱衣室リモコン２０に設けられている。
以下に、浴室内乾燥装置が行う乾燥運転、換気運転、暖房運転について説明する。
【００３０】
乾燥運転を行うとき、制御手段Ｃは、循環ファン１１を動作させ、排気ファン１５を動作させ、熱交換器９を加熱動作させ、可動ルーバー１２を所定の風向又は揺動するスイング状態に動作させる。その結果、吸込口６から浴室１内の空気を吸い込み、吸い込んだ空気の一部を屋外に排気すると共に残りの空気を加熱した上で吹出口８から加熱空気を浴室１内に吹き出すような乾燥運転が行われる。そして、浴室１内に存在している被乾燥物Ｘに対する乾燥が行われる。つまり、浴室内乾燥装置は、吸込口６から浴室内の空気を吸い込む吸込手段（循環ファン１１）と、吸込手段が吸い込んだ空気を吹出口８から浴室内に吹き出す吹出手段（循環ファン１１及び可動ルーバー１２）と、吸込手段が吸い込んだ空気を屋外に排気する排気手段（循環ファン１１及び排気ファン１５）と、吸込手段が吸い込んだ空気を加熱する加熱手段（熱交換器９）と、各手段の動作を制御する制御手段Ｃとを備え、吸込口６から浴室内の空気を吸い込み、吸い込んだ空気の一部を屋外に排気すると共に残りの空気を加熱した上で吹出口８から加熱空気を浴室内に吹き出すように制御手段Ｃが吸込手段及び吹出手段及び排気手段及び加熱手段を動作させることで、浴室内に存在している被乾燥物Ｘに対する乾燥運転を行う。
【００３１】
換気運転を行うとき、制御手段Ｃは、循環ファン１１を動作させ、排気ファン１５を動作させる。このとき、制御手段Ｃは、熱交換器９を加熱停止させ、可動ルーバー１２を吹出口８を閉じるように動作させる。その結果、吸込口６から浴室１内の空気を吸い込み、吸い込んだ空気の全部を屋外に排気するような換気運転が行われる。このとき、浴室１内には、隣接する他の部屋（例えば脱衣室等）から新たに空気が流入する。つまり、浴室１内の空気は排気ファン１５を介して排気されつつ、浴室１内の空気は、新たに流入する空気で置換される。
【００３２】
暖房運転を行うとき、制御手段Ｃは、循環ファン１１を動作させ、熱交換器９を加熱動作させ、可動ルーバー１２を所定の風向に動作させる。このとき、制御手段Ｃは、排気ファン１５を停止させる。その結果、吸込口６から浴室１内の空気を吸い込み、吸い込んだ空気の全部を加熱した上で吹出口８から加熱空気を浴室１内に吹き出すような暖房運転が行われる。
【００３３】
次に、乾燥運転について詳細に説明する。図３は、乾燥運転を説明するフローチャートである。利用者が脱衣室リモコン２０の「乾燥」ボタン２２を押し操作して乾燥運転の開始指示を与えると、工程＃１０において制御手段Ｃは、上述したような加熱空気の送風を開始する。このとき、吹出口８から浴室１内への加熱空気の吹出方向は、脱衣室リモコン２０の「風向」ボタン２６で指定された所定の方向又はスイングなどである。その後、制御手段Ｃは、タイマーの計時を開始し、一定時間が経過するまで乾燥運転を継続する（工程＃１１，工程＃１２）。そして、制御手段Ｃは、一定時間が経過することで被乾燥物Ｘの乾燥が進行した後、工程＃１３において温度測定を行わせる。
【００３４】
この温度測定は、被乾燥物Ｘの温度を、吹出口８から見て、浴室内で被乾燥物Ｘを掛けるために設置された掛け具３０の設置位置よりも近い側から測定可能な第１温度測定手段Ｔ１と、被乾燥物Ｘの温度を、吹出口８から見て、掛け具３０の設置位置よりも遠い側から測定可能な第２温度測定手段Ｔ２との両方を用いて行われる。掛け具３０は、例えば浴室１に設置される物干し竿などである。
【００３５】
第１温度測定手段Ｔ１は掛け具３０よりも浴室１の天井側に設けられている。本実施形態では、第１温度測定手段Ｔ１は、浴室１の天井部分に設置された装置本体３に搭載されている。そして、第１温度測定手段Ｔ１は、浴室１の天井側から下方の床側に向かって視野を有している。つまり、第１温度測定手段Ｔ１は、掛け具３０に掛けられた被乾燥物Ｘの温度を上方から測定できる。
【００３６】
第２温度測定手段Ｔ２が掛け具３０よりも浴室１の床側に設けられている。本実施形態では、第２温度測定手段Ｔ２は、浴室１内の壁面に設置された浴室内リモコン４０に搭載されている。例えば、浴室内リモコン４０は浴室１内の洗い場や浴槽Ｂ内に居る利用者から手の届く位置、即ち、浴室１内の相対的に低い位置に設置されている。そして、第２温度測定手段Ｔ２は、浴室１内の相対的に低い位置から上方の天井側に向かって視野を有している。つまり、第２温度測定手段Ｔ２は、人が操作し易い程度の低い位置に設置されているので、掛け具３０に掛けられた被乾燥物Ｘの温度を下方から測定できる。
【００３７】
また、第１温度測定手段Ｔ１及び第２温度測定手段Ｔ２は、特定の視野角内に存在する物体の温度を測定できる温度センサを用いて広い範囲を走査することにより、その広い範囲での温度分布を測定できる装置である。或いは、第１温度測定手段Ｔ１及び第２温度測定手段Ｔ２は、特定の視野角内に存在する物体の温度を測定できる温度センサを、測定領域を互いに異ならせて複数個備えることで、広い範囲での温度分布を測定できる装置である。また或いは、第１温度測定手段Ｔ１及び第２温度測定手段Ｔ２は、視野角の広い赤外線サーモグラフィカメラを備えることで、広い範囲の温度分布を測定できる装置である。
【００３８】
このような第１温度測定手段Ｔ１及び第２温度測定手段Ｔ２を用いて温度を測定することで、その測定結果の伝達を受けた制御手段Ｃは、工程＃１４において、第１温度測定手段Ｔ１及び第２温度測定手段Ｔ２の測定結果に基づいて被乾燥物Ｘの乾燥状態が他の領域よりも相対的に悪い未乾燥領域を特定する未乾燥領域特定処理を行う。特に、第１温度測定手段Ｔ１と第２温度測定手段Ｔ２とは、被乾燥物Ｘが掛け具３０に掛けられたときに存在する領域をそれらの間に挟む位置に設置されている。そのため、第１温度測定手段Ｔ１と第２温度測定手段Ｔ２とは、被乾燥物Ｘの温度を互いに反対側から、即ち、被乾燥物Ｘの温度を上方及び下方の両方から測定できる。その結果、第１温度測定手段Ｔ１及び第２温度測定手段Ｔ２から被乾燥物Ｘを見た場合、死角が無くなる可能性が高くなり、未乾燥領域をより確実に探し出すことができる。
【００３９】
具体的には、工程＃１４において制御手段Ｃは、未乾燥領域特定処理において、第１温度測定手段Ｔ１及び第２温度測定手段Ｔ２で測定した温度のうち、周囲よりも低温の部分を未乾燥領域と特定する。例えば、制御手段Ｃは、第１温度測定手段Ｔ１及び第２温度測定手段Ｔ２で測定した被乾燥物Ｘを含む範囲の温度分布情報に基づいて、周囲よりも低温の部分を未乾燥領域として抽出できる。これは、未乾燥領域には相対的に多くの水分が残存しているため、その領域の温度が周囲よりも低温であるという考えに基づいている。また、制御手段Ｃは、第１温度測定手段Ｔ１及び第２温度測定手段Ｔ２の設置位置及び温度測定範囲についての情報を有しているため、測定された温度分布情報内の低温部分が吹出口８から見てどの方向に位置するのかを特定できる。
【００４０】
或いは、工程＃１４において制御手段Ｃは、未乾燥領域特定処理において、第１温度測定手段Ｔ１及び第２温度測定手段Ｔ２で測定した温度のうち、浴室１の壁面よりも低温の部分を未乾燥領域と特定する。この場合、第１温度測定手段Ｔ１及び第２温度測定手段Ｔ２の温度測定範囲のうち、例えば最も外側の部分が被乾燥物Ｘの温度ではなく、浴室１内の壁面の温度となるように設計しておく。そうすると、制御手段Ｃは、第１温度測定手段Ｔ１及び第２温度測定手段Ｔ２で測定した被乾燥物Ｘを含む範囲の温度分布情報に基づいて、浴室１の壁面よりも低温の部分を未乾燥領域として抽出する。これは、乾燥運転を一定時間以上行う（工程＃１２）ことで浴室１内の空気及び壁面が暖められ、その時点で壁面は十分に乾燥して高温になっているのに対して、未乾燥領域には相対的に多くの水分が残存しているため、その領域の温度が周囲よりも低温であるという考えに基づいている。
【００４１】
そして、制御手段Ｃは、工程＃１４において未乾燥領域が無いと判定した場合、工程＃１５に移行して加熱空気の送風を停止して乾燥運転を終了する。
【００４２】
それに対して、制御手段Ｃは、工程＃１４において未乾燥領域があると判定した場合、工程＃１４の未乾燥領域特定処理によって特定した未乾燥領域に向けて、他の領域よりも相対的に多くの加熱空気を吹出口８から吹き出す特定乾燥処理を行う（工程＃１６）。例えば、制御手段Ｃは、未乾燥領域が１カ所の場合、加熱空気の吹出方向を未乾燥領域に向けて固定して、その未乾燥領域のみに加熱空気が吹き出されるような処理を行うことで、未乾燥領域に向けて吹出口８から相対的に多くの加熱空気を吹き出すことができる。或いは、加熱空気の吹出方向をスイングさせている途中で、加熱空気の吹出方向が未乾燥領域に向かうときにスイングを一時的に停止させることで、未乾燥領域に向けて吹出口８から相対的に多くの加熱空気を吹き出すことができる。また、未乾燥領域が複数カ所の場合、加熱空気がそれら複数カ所に対して順に向かうように加熱空気の吹出方向を順に変更することで、未乾燥領域に向けて吹出口８から相対的に多くの加熱空気を吹き出すことができる。或いは、加熱空気の吹出方向をスイングさせている途中で、加熱空気の吹出方向が各未乾燥領域に向かうときにスイングを一時的に停止させることで、複数の未乾燥領域に向けて吹出口８から相対的に多くの加熱空気を吹き出すことができる。
【００４３】
その後、制御手段Ｃは、特定乾燥処理を一定時間以上行った後で（工程＃１１，工程＃１２）、再び温度測定（工程＃１３）と未乾燥領域特定処理（工程＃１４）とを行って、上述したのと同様に未乾燥領域が残っているか否かを判定する。
【００４４】
以上のように、本実施形態の浴室内乾燥装置では、被乾燥物Ｘの温度が、吹出口８から見て掛け具３０の設置位置よりも近い側から測定可能な第１温度測定手段Ｔ１と、吹出口８から見て掛け具３０の設置位置よりも遠い側から測定可能な第２温度測定手段Ｔ２という二つの温度測定手段によって測定される。つまり、第１温度測定手段Ｔ１と第２温度測定手段Ｔ２とは、被乾燥物Ｘの温度測定を互いに異なる方向から行っている。そのため、第１温度測定手段Ｔ１では死角になって測定できなかった領域の温度を第２温度測定手段Ｔ２では測定でき、第２温度測定手段Ｔ２では死角になって測定できなかった領域の温度を第１温度測定手段Ｔ１では測定できる。その結果、従来のように一つの温度測定手段のみで未乾燥領域を探していた場合に比べて、本実施形態では未乾燥領域を確実に探し出すことができる。そして、そのように測定された結果に基づいて被乾燥物Ｘの乾燥状態が他の領域よりも相対的に悪い未乾燥領域を特定する未乾燥領域特定処理と、その未乾燥領域特定処理によって特定した未乾燥領域に向けて吹出口８から他の領域よりも相対的に多くの加熱空気を吹き出す特定乾燥処理とを行うことで、被乾燥物Ｘの乾き残しの発生を抑制できる。
【００４５】
＜第２実施形態＞
第２実施形態の浴室内乾燥装置は、乾燥運転の内容が上記実施形態と異なっている。以下に第２実施形態の浴室内乾燥装置について説明するが、上記実施形態と同様の構成については説明を省略する。
【００４６】
図４は、乾燥運転を説明するフローチャートである。本実施形態でも、利用者が脱衣室リモコン２０の「乾燥」ボタン２２を押し操作して乾燥運転の開始指示を与えると、工程＃２０において制御手段Ｃは、上述したような加熱空気の送風を開始する。その後、制御手段Ｃは、タイマーの計時を開始し、一定時間が経過するまで乾燥運転を継続する（工程＃２１，工程＃２２）。
【００４７】
そして、制御手段Ｃは、一定時間が経過することで被乾燥物Ｘの乾燥が進行した後、工程＃２３において加熱空気の送風を停止し、その後に、工程＃２３において温度測定を行わせる。つまり、本実施形態では、制御手段Ｃは、未乾燥領域特定処理において、吹出口８から浴室１内への加熱空気の吹き出しを停止した状態で第１温度測定手段Ｔ１及び第２温度測定手段Ｔ２による温度の測定を行う。このとき、吹出口８から浴室１内への空気の吹き出しを停止させる方法や、上記送風運転（吹出口８から浴室１内への加熱空気の吹き出しは停止させるが、未加熱の空気の吹き出しを行う運転）を行う方法などがある。
このように、加熱空気の吹き出しを停止することで、被乾燥物Ｘに加熱空気が当たっていないときの温度が測定される。つまり、加熱空気の影響を排除した状態で、被乾燥物Ｘ自体の温度が第１温度測定手段Ｔ１及び第２温度測定手段Ｔ２よって測定される。その結果、加熱空気の温度による影響を除いた状態で、未乾燥領域の特定を確実に行える。
【００４８】
次に、工程＃２５において制御手段Ｃは、第１温度測定手段Ｔ１及び第２温度測定手段Ｔ２の測定結果に基づいて被乾燥物Ｘの乾燥状態が相対的に悪い未乾燥領域を特定する未乾燥領域特定処理を行う。そして、制御手段Ｃは、工程＃２５において未乾燥領域が無いと判定した場合は乾燥運転を終了する。
これに対して、制御手段Ｃは、工程＃２５において未乾燥領域があると判定した場合、加熱空気の送風を再開すると共に、工程＃２５の未乾燥領域特定処理によって特定した未乾燥領域に向けて吹出口８から相対的に多くの加熱空気を吹き出す特定乾燥処理を行う（工程＃２７）。
【００４９】
その後、制御手段Ｃは、特定乾燥処理を一定時間以上行った後で（工程＃２１，工程＃２２）、再び加熱空気の送風停止（工程＃２３）と温度測定（工程＃２４）と未乾燥領域特定処理（工程＃２５）とを行って、上述したのと同様に未乾燥領域が残っているか否かを判定する。
【００５０】
＜別実施形態＞
＜１＞
上記実施形態では、浴室内乾燥装置の構成について具体例を挙げて説明したが、その構成については適宜変更可能である。
例えば、上記実施形態では、第１温度測定手段Ｔ１が浴室１の天井部分に設置された装置本体３に搭載されている例、及び、第２温度測定手段Ｔ２が浴室１内の壁面に設置された浴室内リモコン４０に搭載されている例を説明したが、第１温度測定手段Ｔ１及び第２温度測定手段Ｔ２は他の場所に設置されてもよい。
また、上記実施形態では、二つの温度測定手段（第１温度測定手段Ｔ１、第２温度測定手段Ｔ２）を用いる例を説明したが、三つ以上の温度測定手段を用いて被乾燥物Ｘの温度測定を行ってもよい。その場合、少なくとも二つの温度測定手段の位置が、上述した第１温度測定手段Ｔ１及び第２温度測定手段Ｔ２の位置にあればよい。
【００５１】
＜２＞
上記実施形態では、乾燥運転を開始してから一定時間が経過した後で被乾燥物Ｘの温度測定を行い、その測定結果に基づいて未乾燥領域特定処理を行う例を説明したが、他のタイミングで被乾燥物Ｘの温度測定を行ってもよい。例えば、湿度センサ１３によって測定される、吸込口６を通して吸い込まれた浴室１内の空気の湿度が設定湿度以下になったとき、即ち、被乾燥物Ｘの乾燥がある程度進行したときに、被乾燥物Ｘの温度測定を行い、その測定結果に基づいて未乾燥領域特定処理を行ってもよい。
【００５２】
＜３＞
上記実施形態（別実施形態を含む、以下同じ）で開示される構成は、矛盾が生じない限り、他の実施形態で開示される構成と組み合わせて適用でき、また、本明細書において開示された実施形態は例示であって、本発明の実施形態はこれに限定されず、本発明の目的を逸脱しない範囲内で適宜改変できる。
【産業上の利用可能性】
【００５３】
本発明は、被乾燥物の乾き残しの発生を抑制できる浴室内乾燥装置に利用できる。
【符号の説明】
【００５４】
１  浴室
６  吸込口
８  吹出口
９  熱交換器（加熱手段）
１１  循環ファン（吸込手段、吹出手段、排気手段）
１２  可動ルーバー（吹出手段）
１５  排気ファン（排気手段）
３０  掛け具
４０  浴室内リモコン
Ｃ  制御手段
Ｔ１  第１温度測定手段
Ｔ２  第２温度測定手段
Ｘ  被乾燥物
【図１】
2018166893.tif 000003
【図２】
2018166893.tif 000004
【図３】
2018166893.tif 000005
【図４】
2018166893.tif 000006